(57)【要約】【課題】モルタルの表面を凹凸なく平面化することができる鏝及びエポキシ樹脂モルタル整形方法を提供すること。【解決手段】モルタル３０の表面を整形するための鏝１であって、少なくともモルタル３０に接する表面１１がポリエチレン製であるものを提供する。鏝１のモルタル３０に接する表面１１にモルタル３０が付着し難く、モルタル３０の表面を適度に押圧することができるため、モルタル３０の表面を凹凸なく平面化することができる。【選択図】図１
2020148036.tif 000002
【特許請求の範囲】
【請求項１】
モルタルの表面を整形するための鏝であって、
少なくともモルタルに接する表面がポリエチレン製であることを特徴とする、鏝。
【請求項２】
ポリエチレン製の板部と、
前記板部の前記表面と反対の面に設けられた把持部とを備えることを特徴とする、請求項１に記載の鏝。
【請求項３】
請求項１又は２に記載の鏝を用い、
前記鏝を、その表面が整形目標面に沿うように動かし、
エポキシ樹脂モルタルの表面を整形することを特徴とする、エポキシ樹脂モルタルの整形方法。
【請求項４】
前記エポキシ樹脂モルタルは、建材の損傷個所に充填されたものであることを特徴とする、請求項３に記載のエポキシ樹脂モルタルの整形方法。
【請求項５】
前記建材は、コンクリート製であることを特徴とする、請求項４に記載のエポキシ樹脂モルタルの整形方法。
【発明の詳細な説明】
【技術分野】
【０００１】
本発明は、鏝及びエポキシ樹脂モルタルの整形方法に関する。
【背景技術】
【０００２】
モルタルを鏝で整形する場合や、モルタル建材をフリーローラーを用いて搬送する場合に、モルタルと当該モルタルに接する部材との間に相性の良し悪しがあることが知られている。例えば、特許文献１には、半可塑性建材用のフリーローラーの表面を覆う部材として、超高分子量ポリエチレン等の合成樹脂を用いた場合には当該フリーローラーにモルタルが付着し易いが、発泡ポリエチレン、発泡ポリウレタンゴム等の発泡樹脂を用いた場合にはモルタルが付着し難いことが記載されている。
【先行技術文献】
【特許文献】
【０００３】
【特許文献１】特開平８−７３０２０号公報
【発明の概要】
【発明が解決しようとする課題】
【０００４】
鏝を用いてモルタルを整形する際にモルタルの表面を平面化するには、鏝の材質として、モルタルが付着し難く、モルタルを適度に押圧できる材質を選択するのが好ましい。また、コンクリートのような凹凸のある建材表面の損傷箇所にモルタルを充填して補修を行う場合には、建材表面の凹部に鏝が柔軟に入り込み、充填されたモルタル表面の全体をこすることができる材質が好ましい。
【０００５】
本発明は、モルタルの表面を凹凸なく平面化することができる鏝及びエポキシ樹脂モルタル整形方法を提供することを課題とする。
【課題を解決するための手段】
【０００６】
本発明の鏝は、
モルタルの表面を整形するための鏝であって、
少なくともモルタルに接する表面がポリエチレン製であることを特徴とする。
【０００７】
この特徴によれば、鏝のモルタルに接する表面をポリエチレン製としたことにより、鏝によるモルタル表面の整形時に、鏝のモルタルに接する表面にモルタルが付着し難く、モルタル表面を適度に押圧することができるため、モルタルの表面を凹凸なく平面化することができる。
【０００８】
本発明の鏝は、
ポリエチレン製の板部と、
前記板部の前記表面と反対の面に設けられた把持部とを備えることを特徴とする。
【０００９】
この特徴によれば、作業者は鏝の把持部を把持して、鏝のポリエチレン製の板部をモルタルに接触させて動かすことで、モルタルの表面を容易に平面化することができる。
【００１０】
本発明のエポキシ樹脂モルタルの整形方法は、
前記鏝を、その表面が整形目標面に沿うように動かし、
エポキシ樹脂モルタルの表面を整形することを特徴とする。
【００１１】
この特徴によれば、鏝の表面を整形目標面に沿うように動かす際に、当該鏝の表面にエポキシ樹脂モルタルが付着し難く、モルタル表面を適度に押圧することができるため、エポキシ樹脂モルタルの表面を凹凸なく整形目標面に沿って平面化することができる。
【００１２】
本発明のエポキシ樹脂モルタルの整形方法は、
前記エポキシ樹脂モルタルは、建材の損傷個所に充填されたものであることを特徴とする。
【００１３】
この特徴によれば、建材の損傷個所に充填されたエポキシ樹脂モルタルの表面を平面化することができる。
【００１４】
本発明のエポキシ樹脂モルタルの整形方法は、
前記建材は、コンクリート製であることを特徴とする。
【００１５】
この特徴によれば、建材がコンクリート製の場合、当該建材の表面に微小な凹凸があるが、ポリエチレンは当該凹部に入り込むだけの弾性を有しているため、鏝の表面は建材の凹部に入り込むことができ、建材の損傷個所に充填されたエポキシ樹脂モルタルの表面全体をこすることができる。したがって、エポキシ樹脂モルタルと建材との境界も含めて、エポキシ樹脂モルタルの表面を凹凸なく平面化することができる。
【発明の効果】
【００１６】
本発明によれば、鏝のモルタルに接する表面をポリエチレン製としたことにより、鏝によるモルタル表面の整形時に、鏝のモルタルに接する表面にモルタルが付着し難く、モルタル表面を適度に押圧することができるため、モルタルの表面を凹凸なく平面化することができる。
【図面の簡単な説明】
【００１７】
【図１】図１は、本発明の実施形態に係る鏝の斜視図である。
【図２】図２は、変形例に係る鏝の斜視図である。
【図３】図３（ａ）は建材の損傷個所に充填されたモルタルを従来の鏝で整形した状態を示す模式的断面図であり、図３（ｂ）は建材の損傷個所に充填されたモルタルを本実施形態に係る鏝で整形した状態を示す模式的断面図である。
【発明を実施するための形態】
【００１８】
以下、本発明の実施形態について図面を参照して詳細に説明する。
【００１９】
図１は、本発明の実施形態に係る鏝の斜視図である。図１に示すように、鏝１は平板状の板部１０を備えている。板部１０の一方の面（以下「表面」という）１１は、壁や床上に塗りつけられたモルタルの表面で動かすことで、モルタルの表面を平面化する面である。当該表面１１と反対の面１２には、作業者が把持するための把持部２０が取り付けられている。
【００２０】
板部１０はポリエチレンで形成されている。板部１０をポリエチレン製とすることで、モルタルの張力と板部１０の弾性との関係により、板部１０の表面１１をモルタルの表面で動かす際に、モルタルが板部１０の表面１１に付着し難く、モルタルを適度に押圧することができ、非熟練者でも短時間でモルタルの表面を平面状に仕上げることができる。
【００２１】
ここで、図３に示すように、モルタル３０が建材４０の損傷個所４１に充填されたものである場合、モルタル３０の中央部３１の平面化に加えて、モルタル３０と建材４０との境界部３２の平面化が必要となる。
【００２２】
モルタル３０は、エポキシ樹脂モルタルであり、硬度があるので、損傷個所４１に注入すると、図３（ａ）に示すように、膨らんで余剰部３０ａができることが多い。平面化によって、余剰部３０ａを配して図３（ｂ）の状態とする。
【００２３】
モルタル３０の中央部３１の平面化については、板部１０の表面１１を整形目標面に沿うように動かすと、上述したように、当該板部１０の表面１１にモルタル３０が付着することなく、モルタル３０が適度に押圧されるため、モルタル３０の中央部３１を凹凸なく綺麗に平面化することができる。
【００２４】
モルタル３０と建材４０との境界部３２の平面化については、余剰部３０ａが建材４０から突出しており、モルタル３０の高さを建材４０と合わせることが容易ではない。このため、従来は、エポキシシンナーを含ませた刷毛で境界部３２をこすって、モルタル３０と建材４０との高さを合わせていた。中央部３１には鏝、境界部３２には刷毛を用いることとなり、手間の大きなものとなっていた。
【００２５】
特に建材４０がコンクリート製の場合、建材４０の表面に微小な凹凸（凸部４２ａ、凹部４２ｂ）がある。例えば金属製の鏝は、鏝１の板部１０が建材４０の凸部４２ａを貫入させ凹部４２ｂに入り込むだけの弾性を有していないため、境界部３２付近のモルタル３０を、建材４０の高さに合わせて、板部１０の表面１１でこすることができない。平面化が困難である。
【００２６】
これに対して、本実施形態に係る鏝１の板部１０はポリエチレン製であるため、十分な弾性を有している。したがって、境界部３２付近で板部１０の表面１１を動かした場合、板部１０の表面１１は建材４０の凸部４２ａを貫入させ凹部４２ｂに入り込む。境界部３２付近のモルタル３０の表面に建材４０の高さに合わせて接して、当該表面をこすることができる。中央部３１、境界部３２の両方を１つの鏝で平面化することができる。これにより、図３（ｂ）に示すように、中央部３１、境界部３２、両方のモルタル３０を平面化することが容易に可能となる。
【００２７】
モルタル３０の中でも、特に組成物としてエポキシ樹脂を含むエポキシ樹脂モルタルはポリエチレンとの相性がよく、本実施形態に係るポリエチレン製の板部１０を用いて当該モルタル３０を整形することで、モルタル３０の表面を短時間で綺麗に平面化することが可能となる。
【００２８】
なお、本実施形態では板部１０の全体をポリエチレン製としたが、図２に示すように、モルタル３０に接する表面１１側の部材のみをポリエチレン製とし、反対の面１２側の部材を例えば鉄等の金属、木材、或いは、他の合成樹脂製として、板部１０を２層構造としてもよい。
【００２９】
上記構成の鏝１を用いてコンクリート製の建材４０の損傷箇所４１を補修する場合には、まず、作業者は、鏝１又は他の用具を用いて、当該損傷箇所４１にモルタル３０を充填する。次に、鏝１の把持部２０を把持して、板部１０の表面１１を整形目標面に沿うようにモルタル３０上で動かす。この時に、モルタル３０に接触する板部１０の表面１１にはモルタル３０が付着することなく、また、板部１０は建材４０の凹部に入り込む弾性を有しているため、板部１０の表面１１でモルタル３０の表面全体をこすることができ、モルタル３０の表面を凹凸なく綺麗に平面化することができる。
【００３０】
以上説明したように、鏝１の板部１０のモルタル３０に接する表面１１をポリエチレン製としたことにより、鏝１によるモルタル３０の表面の整形時に、板部１０のモルタル３０に接する表面１１にモルタル３０が付着し難く、モルタル３０の表面を適度に押圧することができ、建材４０の凹部にも柔軟に入り込むため、モルタル３０の表面を凹凸なく綺麗に平面化することができる。
【産業上の利用可能性】
【００３１】
本発明に係る鏝は、エポキシ樹脂モルタル表面の整形を、効率良く行うことができる。
【符号の説明】
【００３２】
１      鏝
１０    板部
１１    表面
１２    表面と反対の面
２０    把持部
３０    モルタル
３０ａ  余剰部
３１    中央部
３２    境界部
４０    建材
４１    損傷個所
４２ａ  凸部
４２ｂ  凹部
【図１】
2020148036.tif 000003
【図２】
2020148036.tif 000004
【図３】
2020148036.tif 000005